【手続補正書】
【提出日】平成18年8月22日(2006.8.22)
【手続補正１】
【補正対象書類名】明細書
【補正対象項目名】特許請求の範囲
【補正方法】変更
【補正の内容】
【特許請求の範囲】
【請求項１】  アタキシン−２結合タンパク質（Ａ２ＢＰ）、またはそれらの機能的フラグメントをコードする、単離された核酸。
【請求項２】  前記コードされた機能的フラグメントが、アタキシン−２に結合する、請求項１に記載の単離された核酸。
【請求項３】  前記コードされた機能的フラグメントが、核酸分子に結合する、請求項１に記載の単離された核酸。
【請求項４】  前記核酸が、以下から選択される、請求項１に記載の単離された核酸：
（ａ）配列番号２に示されるアミノ酸配列をコードするＤＮＡ、または
（ｂ）中程度にストリンジェントな条件下で（ａ）のＤＮＡにハイブリダイズするＤＮＡであって、ここで、該ＤＮＡは生物学的に活性なＡ２ＢＰをコードする、ＤＮＡ、または
（ｃ）上記（ａ）または（ｂ）のいずれかに関するＤＮＡ縮重体であって、該ＤＮＡは生物学的に活性なＡ２ＢＰをコードする、ＤＮＡ縮重体。
【請求項５】  前記核酸が、配列番号１のＡ２ＢＰコード部分に高いストリンジェンシー条件下でハイブリダイズする、請求項４に記載の核酸。
【請求項６】  前記核酸のヌクレオチド配列が、配列番号１のヌクレオチド９８７〜１９７９に示されるヌクレオチド配列と実質的に同じである、請求項４に記載の核酸。
【請求項７】  前記核酸のヌクレオチド配列が、配列番号１のヌクレオチド９８７〜１９７９に示されるヌクレオチド配列と同じである、請求項４に記載の核酸。
【請求項８】  前記核酸がｃＤＮＡである、請求項４に記載の核酸。
【請求項９】  請求項４に記載の核酸を含む、ベクター。
【請求項１０】  請求項４に記載の核酸を含む、組換え細胞。
【請求項１１】  配列番号１に示されるヌクレオチド配列と特異的にハイブリダイズし得る少なくとも１５個のヌクレオチドを含む、オリゴヌクレオチド。
【請求項１２】  前記オリゴヌクレオチドが検出可能な標識で標識されている、請求項１１に記載のオリゴヌクレオチド。
【請求項１３】  請求項４に記載の核酸によってコードされるｍＲＮＡに特異的に結合し得る、アンチセンス核酸。
【請求項１４】  請求項１２に記載のオリゴヌクレオチドを少なくとも１つ含む、Ａ２ＢＰ  ｃＤＮＡ配列の存在を検出するための、キット。
【請求項１５】  アタキシン−２に結合する能力を有することによって特徴づけられる、単離されたアタキシン−２結合タンパク質（Ａ２ＢＰ）。
【請求項１６】  核酸分子に結合する能力を有することによって、さらに特徴づけられる、請求項１５に記載のＡ２ＢＰ。
【請求項１７】  ＲＮＡに結合する能力を有する、請求項１６に記載のＡ２ＢＰ。
【請求項１８】  前記タンパク質のアミノ酸配列が、配列番号２と実質的に同じ配列を含む、請求項１５に記載のＡ２ＢＰ。
【請求項１９】  配列番号２と同じアミノ酸配列を含む、請求項１８に記載のＡ２ＢＰ。
【請求項２０】  前記タンパク質が、配列番号１のヌクレオチド９８７〜１９７９と実質的に同じヌクレオチド配列を含むヌクレオチド配列によってコードされる、請求項１５に記載のＡ２ＢＰ。
【請求項２１】  前記タンパク質が、配列番号１のヌクレオチド９８７〜１９７９と同じ配列を含むヌクレオチドによってコードされる、請求項２０に記載のＡ２ＢＰ。
【請求項２２】  Ａ２ＢＰまたはそれらの機能的フラグメントの発現のための方法であって、請求項１０に記載の細胞を、該Ａ２ＢＰの発現に適切な条件下で培養する工程を包含する、方法。
【請求項２３】  請求項１５に記載のＡ２ＢＰとの特異的反応性を有する、単離された抗Ａ２ＢＰ抗体。
【請求項２４】  前記抗体がモノクローナル抗体である、請求項２３に記載の抗体。
【請求項２５】前記抗体がポリクローナル抗体である、請求項２３に記載の抗体。
【請求項２６】  ヒトＡ２ＢＰの発現を阻害するために有効な量の請求項１３に記載のアンチセンス核酸、および細胞膜を通過し得る受容可能な疎水性キャリアを含む、組成物。
【請求項２７】  Ａ２ＢＰをコードする外因性の核酸を発現する、トランスジェニック非ヒト哺乳動物。
【請求項２８】  前記Ａ２ＢＰをコードする核酸が変異されており、そしてそのように発現された該Ａ２ＢＰがネイティブのＡ２ＢＰではない、請求項２７に記載のトランスジェニック非ヒト哺乳動物。
【請求項２９】  前記トランスジェニック非ヒト哺乳動物がマウスである、請求項２７に記載のトランスジェニック非ヒト哺乳動物。
【請求項３０】  Ａ２ＢＰを発現しない、トランスジェニック非ヒト哺乳動物。
【請求項３１】  哺乳動物Ａ２ＢＰをコードする核酸を同定するための方法であって、以下の工程：
核酸を含むサンプルを、請求項１１に記載のオリゴヌクレオチドと接触させる工程であって、ここで、該接触させる工程が高度にストリンジェントなハイブリダイゼーション条件下で行われる工程、およびそれにハイブリダイズする核酸を同定する工程を包含する、方法。
【請求項３２】  サンプル中のヒトＡ２ＢＰの存在を検出するための方法であって、試験サンプルを、請求項２３に記載の抗体と接触させる工程、抗体−Ａ２ＢＰ複合体の存在を検出する工程、およびそれによって該試験サンプル中のヒトＡ２ＢＰの存在を検出する工程を包含する、方法。
【請求項３３】  サンプル中のＡ２ＢＰに結合する核酸分子の存在を検出するための方法であって、核酸を含む試験サンプルを、請求項１５に記載のＡ２ＢＰと接触させる工程、Ａ２ＢＰ−核酸分子複合体の存在を検出する工程、およびそれによって該試験サンプル中の該核酸分子の存在を検出する工程を包含する、方法。
【請求項３４】  Ａ２ＢＰ核酸の増幅のための一本鎖ＤＮＡプライマーであって、該プライマーは、配列番号１に示される核酸配列に由来する核酸配列から選択される、プライマー。
【請求項３５】  アタキシン−２タンパク質の活性を調節するための方法であって、該タンパク質を、実質的に純粋なＡ２ＢＰまたはそのアタキシン−２タンパク質結合フラグメントと接触させる工程を包含する、方法。
【請求項３６】  Ａ２ＢＰに結合する核酸分子の活性を調節するための方法であって、該核酸分子を、実質的に純粋なＡ２ＢＰまたはその核酸結合フラグメントと接触させる工程を包含する、方法。
【請求項３７】  前記核酸分子がＲＮＡである、請求項３６に記載の方法。
【請求項３８】  細胞中で遺伝子発現を調節するための組成物であって、Ａ２ＢＰ活性を調節する化合物を含む、組成物。
【請求項３９】  前記化合物が核酸である、請求項３８に記載の組成物。
【請求項４０】  前記Ａ２ＢＰ活性がＲＮＡ輸送体活性である、請求項３８に記載の組成物。
【請求項４１】  細胞分化を調節するための組成物であって、Ａ２ＢＰ活性を調節する化合物を含む、組成物。
【請求項４２】  前記細胞分化が、胚発生の間に起こる、請求項４１に記載の組成物。
【請求項４３】  成体ニューロンの機能を調節するための組成物であって、Ａ２ＢＰ活性を調節する化合物を含む、組成物。
【請求項４４】  前記化合物が、核酸または抗Ａ２ＢＰ抗体である、請求項４３に記載の組成物。
【請求項４５】  前記成体ニューロンの機能が、ニューロンの記憶または長期増強である、請求項４３に記載の組成物。
【請求項４６】  成体筋肉細胞の機能を調節するための組成物であって、Ａ２ＢＰ活性を調節する化合物を含む、組成物。